(57)【要約】【課題】制御パラメータの設定操作のしやすい撮影装置を提供する。【解決手段】設定値を変更可能な複数の制御パラメータのうちの２つの前記制御パラメータのうちの一方の設定値を第１軸（Ｘ軸）上の位置とし、他方の設定値を前記１軸と交差する第２軸（Ｙ軸）上の位置とし、前記２つの制御パラメータの設定値を前記第１軸（Ｘ軸）と前記第２軸（Ｙ軸）で表される２次元座標上の１点によって表示する表示部（２）と、前記２次元座標上における前記１点を移動させることにより前記制御パラメータの設定値を変更可能な変更部（４）と、を備えることを特徴とする。【選択図】図４
2012019384.tif 000002
【特許請求の範囲】
【請求項１】
設定値を変更可能な複数の制御パラメータのうちの２つの前記制御パラメータのうちの一方の設定値を第１軸上の位置とし、他方の設定値を前記１軸と交差する第２軸上の位置とし、前記２つの制御パラメータの設定値を前記第１軸と前記第２軸で表される２次元座標上の１点によって表示する表示部と、
前記２次元座標上における前記１点を移動させることにより前記制御パラメータの設定値を変更可能な変更部と、
を備えること、を特徴とする撮影装置。
【請求項２】
請求項１に記載の撮影装置であって、
前記複数の制御パラメータのうち前記２つの制御パラメータ以外の制御パラメータの設定値を１軸上の１点によって表し、
前記１軸上における前記１点を移動させることにより前記制御パラメータの設定値が変更可能であること、
を特徴とする撮影装置。
【請求項３】
請求項１または２に記載の撮影装置であって、
前記表示される制御パラメータは、選択可能であること、
を特徴とする撮影装置。
【請求項４】
請求項１または２に記載の撮影装置であって、
前記表示される制御パラメータは、撮影時に選択されていた撮影モード、撮影画像に対して行われたシーン解析の結果、及び撮影時の撮影条件を含む撮影状態により決定されること、
を特徴とする撮影装置。
【発明の詳細な説明】
【技術分野】
【０００１】
本発明は、撮影装置に関するものである。
【背景技術】
【０００２】
ソフトウェアのユーザインターフェースとしてさまざまなグラフィカルユーザインタフェースが採用されている。例えば、画面に３角形を表示し、三角形内に１点を表示し、その点と各辺との距離を制御パラメータの設定値としているものがある（例えば、特許文献１参照）。
【先行技術文献】
【特許文献】
【０００３】
【特許文献１】特開平１１−２７２３８５号公報
【発明の概要】
【発明が解決しようとする課題】
【０００４】
しかし、この三角形表示では、一点を決定することで一度に３つの制御パラメータを設定可能であるが、制御パラメータの自由度が限定され、例えば、３つの制御パラメータを０に設定することができない。
【０００５】
本発明の課題は、制御パラメータの設定操作がしやすい撮影装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、設定値を変更可能な複数の制御パラメータのうちの２つの前記制御パラメータのうちの一方の設定値を第１軸（Ｘ軸）上の位置とし、他方の設定値を前記１軸と交差する第２軸（Ｙ軸）上の位置とし、前記２つの制御パラメータの設定値を前記第１軸（Ｘ軸）と前記第２軸（Ｙ軸）で表される２次元座標上の１点によって表示する表示部（２）と、前記２次元座標上における前記１点を移動させることにより前記制御パラメータの設定値を変更可能な変更部（４）と、を備えること、を特徴とする撮影装置（１）である。
請求項２に記載の発明は、請求項１に記載の撮影装置（１）であって、前記複数の制御パラメータのうち前記２つの制御パラメータ以外の制御パラメータの設定値を１軸上の１点によって表し、前記１軸上における前記１点を移動させることにより前記制御パラメータの設定値が変更可能であること、を特徴とする撮影装置（１）である。
請求項３に記載の発明は、請求項１または２に記載の撮影装置（１）であって、前記表示される制御パラメータは、選択可能であること、を特徴とする撮影装置（１）である。
請求項４に記載の発明は、請求項１または２に記載の撮影装置（１）であって、前記表示される制御パラメータは、撮影時に選択されていた撮影モード、撮影画像に対して行われたシーン解析の結果、及び撮影時の撮影条件を含む撮影状態により決定されること、を特徴とする撮影装置（１）である。
なお、符号を付して説明した構成は、適宜改良してもよく、また、少なくとも一部を他の構成物に代替してもよい。
【発明の効果】
【０００８】
本発明によれば、制御パラメータの設定操作のしやすい撮影装置を提供することができる。
【図面の簡単な説明】
【０００９】
【図１】本発明の一実施形態のカメラを示す背面図である。
【図２】メニュー釦を選択したときに表示部に表示される画像である。
【図３】制御パラメータ表示を選択したときに、表示部に表示される画像である。
【図４】図３で表示を選択した場合に表示部に示される画面である。
【図５】ＸＹＺ軸の設定変更画面である。
【図６】第２実施形態における図４に対応する図である。
【発明を実施するための形態】
【００１０】
以下、図面等を参照して、本発明の実施形態について説明する。図１は、本発明の一実施形態のカメラを示す背面図である。図１に示すように、カメラ１は、その背面に、表示部２と、表示部２の側部（図中左側）に配置された設定釦３と、表示部２における設定釦３が配置された側と反対側（図中右側）に配置されたカーソル移動釦４と、表示部２の上側に配置されたファインダ５とを備える。
【００１１】
表示部２は、後に詳述するメニュー画面、スルー画像、再生画像、情報画像等の各種画像を表示する。表示部２としては、液晶表示装置（ＬＣＤ）、有機ＥＬ等を用いることができる。
【００１２】
設定釦３は、カメラ１が備える複数の機能から特定の機能を選択する釦である。カーソル移動釦４は、表示部２において特定の位置を選択していることを示すカーソルを上下、左右方向に移動させる釦である。なお、本実施形態で「カーソル」とは、選択位置を特定可能な表示を全て含む。例えば、選択されている文字列や記号を指し示すマーク、それらの文字列や記号をハイライトすること、白黒を逆転させること、背景色を変更することも含まれる。
【００１３】
設定釦３は、メニュー釦１１、プロテクト釦１２、縮小釦１３、拡大釦１４、確定釦１５を含む。メニュー釦１１は、表示部２にメニュー項目を表示させるための釦である。プロテクト釦１２は、画像再生時に再生画像の保護を設定するための釦である。縮小釦１３及び拡大釦１４は、画像再生時にそれぞれ画像の縮小又は拡大を行うための釦である。確定釦１５は、入力を確定する旨の信号を発信するための釦である。
【００１４】
図示するように、カーソル移動釦４は、中央の確定釦４ａと、確定釦４ａの周囲の選択釦とを備えている。選択釦は、確定釦４ａの上下に位置する上選択釦４ｂ及び下選択釦４ｃと、確定釦４ａの左右に位置する左選択釦４ｄ及び右選択釦４ｅとを備えている。これらの選択釦４ｂ，４ｃ，４ｄ，４ｅを押圧することにより、表示部２に表示されているカーソルを移動させることができる。
【００１５】
（第１実施形態）
図２は、メニュー釦１１を押下したときに表示部２に表示される画像を示すものである。図示するように、表示部２には、モニタ左側に縦方向に整列されたタブ２０と、モニタの中央部に列表示されるメニュー項目３０と、メニュー項目３０の右側に表示される各メニュー項目３０の現在の設定状態を示す状態表示４０とが表示される。
【００１６】
タブ２０は、図中上から再生メニュー表示タブ２１、撮影メニュー表示タブ２２、カスタムメニュー表示タブ２３、セットアップメニュー表示タブ２４、画像編集メニュー表示タブ２５、マイメニュー表示タブ２６を含む。これらのタブ２０は、それが選択されたときに表示部２に表示されるメニュー項目３０に対応した絵柄のアイコンで表示されている。タブ２０の選択は、選択釦４ｂ，４ｃ，４ｄ，４ｅにより行われる。
【００１７】
図２は、再生メニュー表示タブ２１が選択されている場合の表示部２である。図示するように、表示部２の再生メニュー項目３０には、削除３１、再生ホルダ設定３２、非表示設定３３、再生画面設定３４、撮影直後の画像確認３５、削除後の次再生画像３６、縦位置自動回転３７、制御パラメータ表示３８等の項目が表示される。ここで、上選択釦４ｂまたは下選択釦４ｃを押すことで、カーソルを上下に移動し、希望するメニューを選択して確定釦４ａを押すと、それぞれのメニューの内容が表示され、以下の選択が可能となる。なお、ここではカーソルとして選択された文字列の背景色を用いる。選択された文字列の背景色は他と異なる色となる。
【００１８】
再生メニューにおけるメニュー項目３０のうちの、削除３１を選択すると、選択した画像を削除するか、全画像を削除するかの選択が可能となる。再生ホルダ設定３２を選択すると、メモリカード内の写真保存ホルダのうちのどのホルダを再生するかの選択が可能となる。非表示設定３３を選択すると、画像を非表示するかどうかの選択が可能となる。再生画面設定３４を選択すると、画像情報に、ハイライト表示、フォーカスポイント表示、撮影情報等を追加するかどうかの選択が可能となる。撮影直後の画像確認３５を選択すると、撮影直後に撮影に画像を自動的に表示するかどうかの選択が可能となる。削除後の次再生画像３６を選択すると、画像を削除した後に表示する画像が設定可能となる。縦位置自動回転３７を選択すると、縦位置で撮影した画像を自動的に回転して表示するかどうかが設定可能となる。
【００１９】
再生メニューにおけるメニュー項目３０のうちの、制御パラメータ表示３５を選択すると、表示部２には図３に示すように、表示４１及び変更４２の２つの項目が表示される。ここで、上選択釦４ｂまたは下選択釦４ｃを押すことで、カーソルを移動し、表示４１及び変更４２のいずれかを選択して確定釦４ａを押すと、それぞれの項目の内容が表示される。
【００２０】
図４は表示４１を選択して確定釦４ａを押下した場合に表示部２に示される画面である。表示部２には、ＸＹ平面と、ＸＹ平面内の右上に配置される撮影画像５０とが表示される。
ＸＹ平面のＸＹ座標は、デフォルト値として、例えば、Ｘ軸が制御パラメータのうちのシャープネスに対応し、Ｙ軸が制御パラメータのうちのシャドウに対応している。また、現在のシャープネスの値及びシャドウの値が、座標上の点Ｐで表される。図４においては、Ｘ軸とＹ軸の交点Ｐ１がデフォルト値のＰである。
【００２１】
この点Ｐは、選択釦４ｂ，４ｃ，４ｄ，４ｅを操作することにより移動可能である。上選択釦４ｂを押すと、点ＰがＹ軸に沿って上方（Ｙプラス側）に移動し、撮影画像５０においてシャドウがプラスになる。下選択釦４ｃを押すと、点ＰがＹ軸に沿って下方（Ｙマイナス側）に移動し、撮影画像５０においてシャドウがマイナスになる。
【００２２】
また、右選択釦４ｅを押すと、点ＰがＸ軸に沿って右側（Ｘプラス側）に移動し、撮影画像５０においてシャープネスがプラスになる。左選択釦４ｄを押すと、点ＰがＸ軸に沿って左側（Ｘマイナス側）に移動し、撮影画像５０においてシャープネスがマイナスになる。
【００２３】
図４（ａ）において移動後の点をＰ２で示す。点Ｐが移動すると、その点Ｐの位置に応じて、撮影画像５０におけるシャープネスの値とシャドウの値も変更され、撮影画像５０に反映される。
【００２４】
希望のシャープネス及びシャドウが得られたところで、確定釦４ａを押す。そうすると、次に、図４（ｂ）に示すように、図４（ａ）のＸＹ平面にＺ軸が表示される。Ｚ軸は、本実施形態において、制御パラメータのうちのハイライトに対応している。ここで、選択釦４ｂまたは４ｅを押すと、点ＰがＺ軸に沿って上方右側（Ｚプラス側）に移動し、撮影画像５０においてハイライトがプラスになる。そして、選択釦４ｃまたは４ｄを押すと、点ＰがＺ軸に沿って下方左側（Ｚマイナス側）に移動し、撮影画像５０においてハイライトがマイナスになる。希望のハイライトが得られたところで、確定釦４ａを押すと、ハイライトが決定される。
【００２５】
なお、シャープネスがプラスになるとは、画像がシャープ化することをいう。
シャープ化は以下の式で行う
Ｙｓ＝Ｙ＋（Ｙ−Ｙｇａｕｓｓ）×Ａｍｐ
ここで、
Ｙｓ：シャープ化画像の輝度
Ｙ：ボケ画像の輝度
Ｙｇａｕｓｓ：ボケ画像にガウスボケを付加した画像の輝度（低周波画像）
Ａｍｐ：増幅率
【００２６】
上記式よりシャープ化する制御パラメータは人工的なガウスボケ（低周波画像）と増幅率になる。ガウスボケの大きさを決めるピクセル径によって、低周波の周波数が決まる。また、増幅率によってエッジのオーバーシュート・アンダーシュートが大きくなることで、人間がシャープに見える画像にしている。
一方、アンシャープマスク処理はシャープ化だけでなく、画像のノイズを増幅させてしまう。
【００２７】
本実施形態においてデフォルト値としてＸＹＺ軸として設定されている３つの制御パラメータは以下のものである。
シャープネス：シャープネスは、ＹｇａｕｓｓとＡｍｐの複合制御パラメータ、シャープネスを増やすとＹｇａｕｓｓのボケ量とＡｍｐが増加する。
シャドウ：シャドウ部の増幅率であり、輝度の暗い領域における増幅率である。例えば輝度４０以下とする。
ハイライト：ハイライト部の増幅率であり、輝度の明るい領域における増幅率である。例えば輝度２００以上とする。
【００２８】
図３に戻り、図３において変更４２を選択し、確定釦４ａを押すと、図５（ａ）に示す制御パラメータ設定画面に進む。図５（ａ）ではＸＹＺ軸がそれぞれ対応している現在の制御パラメータが表示される。
変更を希望する場合、上選択釦４ｂ、下選択釦４ｃで、ＸＹＺ軸のうちの変更を希望する軸を選択する。例えばＸ軸にカーソルを移動して確定釦４ａを押すと、図５（ｂ）のＸ軸の制御パラメータの変更画面に進む。図５（ｂ）では、ハイライト、シャドゥ、シャープネス、明度、色相、彩度、輪郭、コントラスト等が表示され、そのうちの一つの制御パラメータが選択可能となっている。
【００２９】
ここで、上下の選択釦４ｂ，４ｃで希望する制御パラメータを選択して確定釦４ａを押すと、図５（ａ）に戻る。そこで、Ｙ軸またはＺ軸を選択して、Ｘ軸と同様に希望の制御パラメータを選択することができる。
【００３０】
本実施形態によると、以下の効果を有する。
（１）互いに関連する２つのパラメータを、それぞれ独立して変更する場合、以下の問題がある。それは、一方を変更した後、他方を変更したときに、その他方の変更が一方に影響するということである。このため、再度一方を変更する必要が生じる。しかし、本実施形態の場合、互いに関連するパラメータをＸＹ軸に設定した場合、同時に変更可能なため、設定変更の時間が短縮されるとともに、煩雑さが軽減される。
（２）座標上での位置としてそれぞれのパラメータの値を設定可能なので、それぞれのパラメータの相対関係を感覚的に理解しやすい。
（３）パラメータ値の変更により、撮影画像がどのように変化するかを確認しながらパラメータ値を変更できるので、調整しやすい。
【００３１】
（第２実施形態）
第２実施形態は、図１のモード設定ダイヤル６によりモード設定が可能なカメラの場合の実施形態である。設定可能なモードとしては、ポートレートの撮影に適した設定を自動で行うポートレートモード、夜景の撮影に適した設定を自動で行う夜景モード、スポーツの撮影に適したスポーツモード、風景モード等がある。
【００３２】
第２実施形態では、図３において、表示４１を選択した場合に表示される画像が異なる。第１実施形態においては、ＸＹ軸がそれぞれシャープネスとシャドウであったが、第２実施形態は、設定されているモードに応じて異なる。図６は、第２実施形態における図４に対応する図である。
例えば、ポートレートモードが設定されている場合、Ｘ軸がＧ（グリーン）、Ｙ軸がＲ（レッド）に対応している。図６（ａ）に示すように、ＸＹ平面上に現在の設定を示す点が示され、その点を移動することで撮影画像のパラメータが変更される点は第１実施形態と同様である。
【００３３】
所望のＧ（グリーン）、Ｒ（レッド）が選択されたら、第１実施形態と同様に、設定釦４ａを押す。そうすると、図６（ｂ）に示すように、Ｂ（ブルー）を示すＺ座標が表示される。ここで、点ＰをＺ軸に沿って移動させて所望のＢ（ブルー）の値を選択し、設定釦４ａを押圧する。これにより、ポートレートにおいて、希望に応じた色彩の画像を得ることができる。
また、例えば、夜景モードが設定されている場合は、図３において、表示４１を選択すると、制御パラメータとして、夜景モードにおいて必要度の高い暗部ノイズ低減を示す一軸の画面が表示されるようにしても良い。
【００３４】
第１本実施形態によると、撮影モードに応じて最適なパラメータが表示されるので、画像を修正する際に、操作が容易で、操作時間も短縮される。
【００３５】
（第３実施形態）
第３実施形態は、シーン認識可能なカメラの場合の実施形態である。たとえは、逆光シーンの場合、表示３１を選択すると、輝度差の大きい被写体でも、コントラストを維持しながら見た目に近い撮影ができる機能である、ライティングの強度を変更可能な一軸の座標が表示される。
また、シャッタースピードが遅く、手振れが生じていると思われるシーンの場合、表示３１を選択すると、シャープネスの強度を変更可能な一軸の座標が表示される。
【００３６】
第３実施形態によると、撮影モードに応じて最適なパラメータが表示されるので、画像を修正する際に、操作が容易で、操作時間も短縮される。
【００３７】
（変形形態）
以上、説明した実施形態に限定されることなく、以下に示すような種々の変形や変更が可能であり、それらも本発明の範囲内である。
【００３８】
変形形態
（１）本実施形態では、カーソル移動釦４によりカーソルを移動したが、本発明はこれに限定されず、表示部２にタッチパネル機構を設け、カーソルの移動は、表示部２の画面をタッチすることで行うようにしても良い。
（２）第１実施形態で設定可能な制御パラメータとして、ハイライト、シャドゥ、シャープネス、明度、色相、彩度、輪郭、コントラストを示したが、これらに限定されず、他の制御パラメータ、例えば明るさ等であってもよい。
（３）第１実施形態でＸＹＺ軸のデフォルト値をハイライト、シャドゥ、シャープネスとしたが、これに限定されず、他の組み合わせであってもよい。
なお、実施形態及び変形形態は、適宜組み合わせて用いることもできるが、詳細な説明は省略する。また、本発明は以上説明した実施形態によって限定されることはない。
【符号の説明】
【００３９】
１：カメラ、２：表示部、３：設定釦、４：カーソル移動釦、４ａ：確定釦、４ｂ：上選択釦、４ｃ：選択釦、４ｄ：左選択釦、４ｅ：右選択釦、６：モード設定釦、１１：メニュー釦、２１：再生メニュー表示タブ、３８：制御パラメータ表示、５０：撮影画像
【図１】
2012019384.tif 000003
【図２】
2012019384.tif 000004
【図３】
2012019384.tif 000005
【図４】
2012019384.tif 000006
【図５】
2012019384.tif 000007
【図６】
2012019384.tif 000008